(57)【要約】      （修正有）【課題】種々の大きさのまな板の表面をスムーズに削ることができる小型で安価なまな板再生機を提供する。【解決手段】まな板を載置する載置台４と、該載置台４上面に沿って直線状に配置されると共に載置台４上面から突出して載置台４上のまな板の下面を削る回転式かんな刃６とを備え、回転式かんな刃６に対して交差する方向に載置台４上のまな板を案内すべく挟持する固定ガイド部材１９と可動ガイド部材２０とが載置台４上に設けられ、固定ガイド部材１９は載置台４上に固定され、可動ガイド部材２０は載置台４上に固定ガイド部材１９に対して接離する方向に移動調整自在に取り付けられている。【選択図】図１
0003169701.tif 000002
【実用新案登録請求の範囲】
【請求項１】
まな板（２）を載置する載置台（４）と、載置台（４）上面に沿って直線状に配置されると共に載置台（４）上面から突出して載置台（４）上のまな板（２）の下面を削る回転式かんな刃（６）とを備え、回転式かんな刃（６）に対して交差する方向に載置台（４）上のまな板（２）を案内すべく挟持する固定ガイド部材（１９）と可動ガイド部材（２０）とが載置台（４）上に設けられ、
固定ガイド部材（１９）は載置台（４）上に固定され、可動ガイド部材（２０）は載置台（４）上に固定ガイド部材（１９）に対して接離する方向に移動調整自在に取り付けられていることを特徴とするまな板再生機。
【請求項２】
固定ガイド部材（１９）と可動ガイド部材（２０）との間から可動ガイド部材（２０）よりも外方に突出した回転式かんな刃（６）の突出部分を上面側から覆うカバー体（３３）が設けられ、該カバー体（３３）は回転式かんな刃（６）の方向に伸縮自在に構成され、カバー体（３３）が可動ガイド部材（２０）の移動に伴って伸縮するように、カバー体（３３）の一端側は回転式かんな刃（６）の外端部側に固定されかつカバー体（３３）の他端側は可動ガイド部材（２０）に連結されていることを特徴とする請求項１に記載のまな板再生機。
【請求項３】
まな板（２）を削ったかんな屑を吸引するバキューム室（３６）が回転式かんな刃（６）に沿って設けられていることを特徴とする請求項１又は２に記載のまな板再生機。
【請求項４】
載置台（４）上のまな板（２）の上面に押圧接当される押さえ板部（４２）と、押さえ板部（４２）の端部から下方に屈曲してまな板（２）の案内方向の側端面に係合される係合部（４３）と、押さえ板部（４２）に上方突設された取っ手（４４）とを有するまな板押さえ部材（４１）が具備されていることを特徴とする請求項１〜３のいずれかに記載のまな板再生機。
【考案の詳細な説明】
【技術分野】
【０００１】
本考案は、まな板の表面を削って再生するようにしたまな板再生機に関するものである。
【背景技術】
【０００２】
まな板には樹脂製のものや木製のものがあるが、使用しているうちにまな板の表面に包丁による多数の傷が生じて、ここに雑菌が繁殖するようになり、不衛生になる。
そこで、まな板の表面を自動かんな盤で削ることが考えられる。従来の自動かんな盤には特許文献１，２に示すようなものがあり、この自動かんな盤は通常大きな木材を削るためのものであった。
【先行技術文献】
【特許文献】
【０００３】
【特許文献１】実開昭５２−１３４８９６号公報
【特許文献２】実開昭５６−５６０３号公報
【考案の概要】
【考案が解決しようとする課題】
【０００４】
従って、従来の自動かんな盤を使用して木材に比べて小さい形状のまな板の表面を削るようにするには、装置が大型になり製造費が高くなるおそれがあった。また、特に業務用のまな板には種々の大きさのものがあり、このまな板をかんな刃に対して交差する方向に相対移動自在に案内することが面倒な場合があり、このためまな板の表面をスムーズに削ることができないという不具合があった。
【０００５】
本考案は上記問題点に鑑み、種々の大きさのまな板の表面をスムーズに削ることができる小型で安価なまな板再生機を提供することを目的としている。
【課題を解決するための手段】
【０００６】
本考案における課題解決のための具体的手段は、次の通りである。
この技術的課題を解決する本考案の技術的手段は、まな板２を載置する載置台４と、載置台４上面に沿って直線状に配置されると共に載置台４上面から突出して載置台４上のまな板２の下面を削る回転式かんな刃６とを備え、回転式かんな刃６に対して交差する方向に載置台４上のまな板２を案内すべく挟持する固定ガイド部材１９と可動ガイド部材２０とが載置台４上に設けられ、
固定ガイド部材１９は載置台４上に固定され、可動ガイド部材２０は載置台４上に固定ガイド部材１９に対して接離する方向に移動調整自在に取り付けられている点にある。
【０００７】
また、本考案の他の技術的手段は、固定ガイド部材１９と可動ガイド部材２０との間から可動ガイド部材２０よりも外方に突出した回転式かんな刃６の突出部分を上面側から覆うカバー体３３が設けられ、該カバー体３３は回転式かんな刃６の方向に伸縮自在に構成され、カバー体３３が可動ガイド部材２０の移動に伴って伸縮するように、カバー体３３の一端側は回転式かんな刃６の外端部側に固定されかつカバー体３３の他端側は可動ガイド部材２０に連結されている点にある。
【０００８】
また、本考案の他の技術的手段は、まな板２を削ったかんな屑を吸引するバキューム室３６が回転式かんな刃６に沿って設けられている点にある。
また、本考案の他の技術的手段は、載置台４上のまな板２の上面に押圧接当される押さえ板部４２と、押さえ板部４２の端部から下方に屈曲してまな板２の案内方向の側端面に係合される係合部４３と、押さえ板部４２に上方突設された取っ手４４とを有するまな板押さえ部材４１が具備されている点にある。
【考案の効果】
【０００９】
本考案によれば、載置台上のまな板を固定ガイド部材と可動ガイド部材とで挟持して、回転式かんな刃に対して交差する方向に案内することができ、種々の大きさのまな板を載置台上に載置してその表面を回転式かんな刃でスムーズに削ることができる。しかも、載置台乃至回転式かんな刃をまな板に対応して小型に形成することができ、製造費用の安価
なまな板再生機を提供できる。
【図面の簡単な説明】
【００１０】
【図１】本考案の第１実施形態を示すまな板再生機の正面断面図である。
【図２】同まな板再生機の平面図である。
【図３】同まな板再生機の側面図である。
【図４】同まな板を配置した状態のまな板再生機の平面図である。
【図５】同まな板を配置した状態のまな板再生機の側面図である。
【図６】同まな板押さえ部材の正面図である。
【図７】同まな板押さえ部材の平面図である。
【図８】他の実施形態を示すまな板再生機の側面図である。
【考案を実施するための形態】
【００１１】
以下、本考案の実施の形態を図面に基づいて説明する。
図１〜図７は本発明の第１実施形態を示している。図１〜図５において、まな板再生機１は、まな板２を載置する載置台４と、載置台４上面から突出して載置台４上のまな板２の下面を削る回転式かんな刃６とを備えている。ここで、まな板２は樹脂製又は木製のいずれであってもよい。
【００１２】
載置台４は複数（例えば４本）の支持脚８により水平状に支持されている。複数の支持脚８はスライド式になっていて上下方向に伸縮調整できるように構成され、載置台４の高さを任意に設定できるようになっている。また、載置台４は軽自動車の荷台に載置できる大きさに設定され、各支持脚８の下端部にキャスタ９が設けられている。
載置台４の左右中央部に前後方向に開口溝１２が形成され、載置台４の開口溝１２の両側に前後方向のスライド溝１３が左右一対形成されている。
【００１３】
回転式かんな刃６は載置台４の左右中央部にその上面に沿って前後方向に直線状に配置され、開口溝１２を通して載置台４上面から上方突出されている。載置台４の下面にモータ１５が設けられ、このモータ１５で伝動ベルト１６等を介して回転式かんな刃６を前後方向の軸心廻りに正逆に回転駆動するように構成されている。
載置台４上に固定ガイド部材１９と可動ガイド部材２０とが設けられている。固定ガイド部材１９と可動ガイド部材２０とは載置台４上のまな板２を回転式かんな刃６に対して直交（交差）する左右方向に案内すべく挟持する。
【００１４】
固定ガイド部材１９は水平状の取付板部２３と取付板部２３から上方突出した起立板部２４とをＬ字状に有し、載置台４の後端部上に左右方向に配置され、その取付板部２３が固定金具２５により載置台４に固定されている。
可動ガイド部材２０は水平状の取付板部２７と取付板部２７から上方突出した起立板部２８とをＬ字状に有し、載置台４上の固定ガイド部材１９より前側に左右方向に配置され、一対のスライド溝１３にそれぞれ挿通した一対の固定金具２９により載置台４上に固定ガイド部材１９に対して接離する方向に移動調整自在に取り付けられている。
【００１５】
可動ガイド部材２０の左右方向中央部には取付板部２７から起立板部２８の下端部にわたって回転式かんな刃６との干渉を避けるべく円弧状の切欠凹部３１が形成されている。
載置台４上に回転式かんな刃６を上面側から覆うカバー体３３が設けられている。このカバー体３３は半円形の蛇腹状に形成されて回転式かんな刃６の方向（前後方向）に伸縮自在に構成され、カバー体３３の前端側（一端側）は載置台４の回転式かんな刃６の前端部側に固定され、カバー体３３の他端側は可動ガイド部材２０に連結されており、可動ガイド部材２０の移動に伴って伸縮するように構成され、固定ガイド部材１９と可動ガイド部材２０との間から可動ガイド部材２０よりも前方に（外方に）突出した回転式かんな刃６の突出部分を上面側から覆っている。
【００１６】
まな板２を削ったかんな屑を吸引するバキューム室３６が回転式かんな刃６に沿って載置台４の下面側に設けられている。バキューム室３６の前端部にバキューム口３７が設けられており、ここに掃除機等の吸引装置の吸引口を接続することにより、回転式かんな刃６でまな板２の表面を削ったときに出るかんな屑を、掃除機等の吸引装置の吸引力で吸引できるようになっている。
【００１７】
図６及び図７はまな板再生機１に具備したまな板押さえ部材４１を示している。同図において、まな板押さえ部材４１は、載置台４上のまな板２の上面に押圧接当される押さえ板部４２と、押さえ板部４２の端部から下方に屈曲してまな板２の案内方向の側端面に係合される係合部４３と、押さえ板部４２に上方突設された一対の取っ手４４とを有している。
【００１８】
上記実施形態によれば、まな板２の表面を削る場合、図４に示すようにまな板２の横幅に合わせて可動ガイド部材２０を固定ガイド部材１９に対して接離する方向に移動調整して、２点鎖線で示す如くまな板２を固定ガイド部材１９の起立板部２４と可動ガイド部材２０の起立板部２８との間の載置台４上に載置し、その後まな板押さえ部材４１の押さえ板部４２を載置台４上のまな板２の上面に押圧接当すると共に、係合部４３をまな板２の側端面に係合して、モータ１５で回転式かんな刃６を回転駆動しながら、まな板押さえ部材４１の一対の取っ手４４を把持して、載置台４上のまな板２を下方に押圧しながら回転式かんな刃６に直交する案内方向に移動させればよく、まな板２の下面が回転式かんな刃６によって削り取られ、ここに生じていた包丁による多数の傷が消滅してまな板２の下面が平坦になる。
【００１９】
また、まな板２の端面を削る場合には、まな板２の板厚に合わせて可動ガイド部材２０を固定ガイド部材１９に対して接離する方向に移動調整して、まな板２の厚み方向を固定ガイド部材１９の起立板部２４と可動ガイド部材２０の起立板部２４とで挟んで、モータ１５で回転式かんな刃６を回転駆動しながら、まな板押さえ部材４１で載置台４上のまな板２を下方に押圧しながら回転式かんな刃６に直交する案内方向に移動させればよく、まな板２の端面が回転式かんな刃６によって削り取られ、まな板２の端面を平坦にすることができる。
【００２０】
従って、載置台４上のまな板２を固定ガイド部材１９と可動ガイド部材２０とで挟持して、回転式かんな刃６に対して交差する方向に案内することができ、種々の大きさのまな板２を載置台４上に載置してその表面を回転式かんな刃６でスムーズに削ることができる。また、まな板２の端面も固定ガイド部材１９と可動ガイド部材２０とで挟持案内してスムーズに削ることができる。しかも、載置台４乃至回転式かんな刃６をまな板２に対応して小型に形成することができ、製造費用の安価なまな板再生機を提供できる。
【００２１】
また、モータ１５で回転式かんな刃６を正逆に回転駆動するように構成されているので、まな板２を回転式かんな刃６に対して左右何れの側からでも案内移動してまな板２の表面を削ることができ、便利である。
また、可動ガイド部材２０よりも前方（外方）に突出した回転式かんな刃６の突出部分をカバー体３３でその上面側から覆っているので、回転式かんな刃６の突出部分に作業者が不測に触れるのを未然に防止できる。しかも、カバー体３３が可動ガイド部材２０の移動に伴って伸縮するため、回転式かんな刃６の固定ガイド部材１９と可動ガイド部材２０との間の使用部分はカバー体３３による覆いがなくなるため、回転式かんな刃６によるまな板２を削る作業をスムーズに開始することができる。
【００２２】
また、まな板２を削ったかんな屑を吸引するバキューム室３６が回転式かんな刃６に沿って設けられているので、回転式かんな刃６でまな板２を削る際に、まな板２を削ったかんな屑を掃除機等の吸引装置の吸引力で吸引して、かんな屑が周囲に散らばるのを未然に防止することができる。
また、取っ手４４を有するまな板押さえ部材４１が具備されているので、載置台４上のまな板２を手で直接に下方に押圧しながら回転式かんな刃６に直交する案内方向に移動させるのとは異なり、手がまな板２上を滑るのを防止することができ、回転式かんな刃６でまな板２を削る作業をよりスムーズになし得る。
【００２３】
図８は他の実施形態を示し、回転式かんな刃６を上面側から覆うカバー体３３が、複数の半割筒状体４７で入れ子式に形成されて、回転式かんな刃６の方向（前後方向）に伸縮自在に構成され、カバー体３３の前端側（一端側）を載置台４の回転式かんな刃６の前端部側に固定すると共に、カバー体３３の他端側を可動ガイド部材２０に連結されており、可動ガイド部材２０の移動に伴って伸縮するように構成されている。その他の点は前記実
施形態の場合と同様の構成である。
【００２４】
なお、前記実施の形態では、固定ガイド部材１９と可動ガイド部材２０とで載置台４上のまな板２を回転式かんな刃６に対して直交する方向に案内すべく挟持しているが、これに代え、固定ガイド部材１９と可動ガイド部材２０とで載置台４上のまな板２を回転式かんな刃６に対して直交する方向以外の交差する方向にに案内すべく挟持するようにしてもよい。
【符号の説明】
【００２５】
１      まな板再生機
２      まな板
４      載置台
６      回転式かんな刃
１９    固定ガイド部材
２０    可動ガイド部材
３３    カバー体
３６    バキューム室
４１    まな板押さえ部材
４２    押さえ板部
４３    係合部
４４    取っ手
【図１】
0003169701.tif 000003
【図２】
0003169701.tif 000004
【図３】
0003169701.tif 000005
【図４】
0003169701.tif 000006
【図５】
0003169701.tif 000007
【図６】
0003169701.tif 000008
【図７】
0003169701.tif 000009
【図８】
0003169701.tif 000010